(57)【要約】【課題】移動無線端末装置が手元になくなった場合に、そのものを回収する手がかりを与えることが可能な移動無線端末装置および移動通信システムを提供する。【解決手段】予め指定された移動無線端末装置１００から遠隔操作要求があった場合に、これを認証サーバ３００で認証し、そして遠隔操作が許可されたものである場合に、遠隔操作する側の移動無線端末装置１００と遠隔操作される側の移動無線端末装置２００との間に通信リンクを確立し、移動無線端末装置１００からの要求に応じて移動無線端末装置２００が遠隔操作される。そして、遠隔操作により移動無線端末装置２００が取得した位置情報や撮像データなどが移動無線端末装置１００に伝送され、これらの情報に基づく表示が移動無線端末装置１００にてなされるようにしたものである。【選択図】      図１
2007143048.tif 000002
【特許請求の範囲】
【請求項１】
基地局装置が移動無線端末装置と無線通信し、前記移動無線端末装置をネットワークに接続する移動通信システムにおいて、
前記移動無線端末装置は、
位置情報を取得する位置情報取得手段と、
前記ネットワークを通じて発呼側の端末装置から、遠隔操作を要求する情報を含んだ着呼要求を受信した場合に、前記端末装置との間に通信リンクを確立する通信リンク確立手段と、
前記通信リンクを通じて、前記端末装置から位置情報が要求された場合に、前記位置情報取得手段を制御して位置情報を取得させ、これによって得られる位置情報を前記端末装置に送信する位置情報送信手段とを具備することを特徴とする移動通信システム。
【請求項２】
前記端末装置は、
前記通信リンクを通じて位置情報の要求を行った後に、前記移動無線端末装置から送信される位置情報を受信する位置情報受信手段と、
この位置情報受信手段が受信した位置情報に基づいて、前記移動無線端末装置の位置を示す地図を表示する表示手段とを備えることを特徴とする請求項１に記載の移動通信システム。
【請求項３】
基地局装置が移動無線端末装置と無線通信し、前記移動無線端末装置をネットワークに接続する移動通信システムにおいて、
前記移動無線端末装置は、
撮像を行う撮像手段と、
前記ネットワークを通じて発呼側の端末装置から、遠隔操作を要求する情報を含んだ着呼要求を受信した場合に、前記端末装置との間に通信リンクを確立する通信リンク確立手段と、
前記通信リンクを通じて、前記端末装置から撮像要求がなされた場合に、前記撮像手段を制御して撮像を行わせ、これによって得られる画像データを前記端末装置に送信する画像データ送信手段とを具備することを特徴とする移動通信システム。
【請求項４】
前記端末装置は、
前記通信リンクを通じて撮像要求を行った後に、前記移動無線端末装置から送信される画像データを受信する画像データ受信手段と、
この画像データ受信手段が受信した画像データに基づく画像を表示する表示手段とを備えることを特徴とする請求項３に記載の移動通信システム。
【請求項５】
前記通信リンク確立手段は、発呼側の端末装置が予め設定された電話番号を有する端末装置であって、かつ前記端末装置から遠隔操作を要求する情報が含まれた着呼要求を受信した場合に、前記端末装置との間に通信リンクを確立することを特徴とする請求項１乃至請求項４のいずれかに記載の移動通信システム。
【請求項６】
前記移動無線端末装置は、さらに、
着呼の発生を報知する報知手段と、
前記ネットワークを通じて発呼側の端末装置から、遠隔操作を要求する情報を含まない着呼要求を受信した場合には、前記報知手段を制御して着呼の発生を報知制御し、一方、遠隔操作を要求する情報を含んだ着呼要求を受信した場合には、前記報知手段が着呼の発生を報知しないように制御する報知制御手段とを備えること特徴とする請求項１乃至請求項５のいずれかに記載の移動通信システム。
【請求項７】
基地局装置と無線通信し、ネットワークに接続する移動無線端末装置において、
位置情報を取得する位置情報取得手段と、
前記ネットワークを通じて発呼側の端末装置から、遠隔操作を要求する情報を含んだ着呼要求を受信した場合に、前記端末装置との間に通信リンクを確立する通信リンク確立手段と、
前記通信リンクを通じて、前記端末装置から位置情報が要求された場合に、前記位置情報取得手段を制御して位置情報を取得させ、これによって得られる位置情報を前記端末装置に送信する位置情報送信手段とを具備することを特徴とする移動無線端末装置。
【請求項８】
基地局装置と無線通信し、ネットワークに接続する移動無線端末装置において、
撮像を行う撮像手段と、
前記ネットワークを通じて発呼側の端末装置から、遠隔操作を要求する情報を含んだ着呼要求を受信した場合に、前記端末装置との間に通信リンクを確立する通信リンク確立手段と、
前記通信リンクを通じて、前記端末装置から撮像要求がなされた場合に、前記撮像手段を制御して撮像を行わせ、これによって得られる画像データを前記端末装置に送信する画像データ送信手段とを具備することを特徴とする移動無線端末装置。
【請求項９】
前記通信リンク確立手段は、発呼側の端末装置が予め設定された電話番号を有する端末装置であって、かつ前記端末装置から遠隔操作を要求する情報が含まれた着呼要求を受信した場合に、前記端末装置との間に通信リンクを確立することを特徴とする請求項７または請求項８に記載の移動無線端末装置。
【請求項１０】
さらに、
着呼の発生を報知する報知手段と、
前記ネットワークを通じて発呼側の端末装置から、遠隔操作を要求する情報を含まない着呼要求を受信した場合には、前記報知手段を制御して着呼の発生を報知制御し、一方、遠隔操作を要求する情報を含んだ着呼要求を受信した場合には、前記報知手段が着呼の発生を報知しないように制御する報知制御手段とを備えること特徴とする請求項７乃至請求項９のいずれかに記載の移動無線端末装置。
【発明の詳細な説明】
【技術分野】
【０００１】
この発明は、例えばＰＨＳ（Personal Handyphone System）や携帯電話システムに用いられる移動無線端末装置に関する。
【背景技術】
【０００２】
周知のように、従来の移動無線端末装置は、移動通信網を通じた他の移動無線端末装置からの遠隔制御により、記憶するデータを上記移動通信網を通じて読み出すことを可能としている（例えば、特許文献１参照）。
【０００３】
この機能によれば、既に記憶部に記録されている情報を他の機器から読み出すことができるため、例えば移動無線端末装置を紛失したり、盗難に遭った場合でも、記憶部に記録される情報のバックアップを行うことができる。しかしながら、情報のバックアップは行えるものの、移動無線端末装置そのものを回収することはできない。
【特許文献１】特開２００１−３５９１５７公報。
【発明の開示】
【発明が解決しようとする課題】
【０００４】
従来の移動無線端末装置では、手元になくなった場合に、他の移動無線端末装置などを使って情報を回収することはできるが、移動無線端末装置そのものを回収することは困難であるという問題があった。
【０００５】
この発明は上記の問題を解決すべくなされたもので、移動無線端末装置が手元になくなった場合に、そのものを回収する手がかりを与えることが可能な移動通信システムおよび移動無線端末装置を提供することを目的とする。
【課題を解決するための手段】
【０００６】
上記の目的を達成するために、この発明は、基地局装置が移動無線端末装置と無線通信し、移動無線端末装置をネットワークに接続する移動通信システムにおいて、移動無線端末装置は、位置情報を取得する位置情報取得手段と、ネットワークを通じて発呼側の端末装置から、遠隔操作を要求する情報を含んだ着呼要求を受信した場合に、端末装置との間に通信リンクを確立する通信リンク確立手段と、通信リンクを通じて、端末装置から位置情報が要求された場合に、位置情報取得手段を制御して位置情報を取得させ、これによって得られる位置情報を端末装置に送信する位置情報送信手段とを具備して構成するようにした。
【０００７】
またこの発明では、基地局装置が移動無線端末装置と無線通信し、移動無線端末装置をネットワークに接続する移動通信システムにおいて、移動無線端末装置は、撮像を行う撮像手段と、ネットワークを通じて発呼側の端末装置から、遠隔操作を要求する情報を含んだ着呼要求を受信した場合に、端末装置との間に通信リンクを確立する通信リンク確立手段と、通信リンクを通じて、端末装置から撮像要求がなされた場合に、撮像手段を制御して撮像を行わせ、これによって得られる画像データを端末装置に送信する画像データ送信手段とを具備して構成するようにした。
【発明の効果】
【０００８】
以上述べたように、この発明では、移動無線端末装置が、ネットワークを通じて発呼側の端末装置から、遠隔操作を要求する情報を含んだ着呼要求を受信した場合に、端末装置との間に通信リンクを確立し、この通信リンクを通じて、端末装置から位置情報あるいは撮像が要求された場合に、位置情報取得手段を制御して位置情報を取得させたり、あるいは撮像手段を制御して撮像を行わせ、これらによって得られる位置情報や画像データを端末装置に送信するようにしている。
【０００９】
したがって、この発明によれば、移動無線端末装置が手元になくなった場合に、端末装置からの遠隔操作によって、上記移動無線端末装置の位置情報や画像データを取得して回収する手がかりを与えることが可能な移動通信システムおよび移動無線端末装置を提供できる。
【発明を実施するための最良の形態】
【００１０】
以下、図面を参照して、この発明の一実施形態について説明する。  
図１は、この発明の一実施形態に係わる移動通信システムの構成を示すものである。図１に示すように、この移動通信システムは、移動通信網ＮＷと、これに収容される複数の無線基地局ＣＳと、これと無線通信し、ユーザ（加入者）が携帯する移動無線端末装置１００，２００と、移動通信網ＮＷに収容される認証サーバ３００とを備える。
【００１１】
移動無線端末装置１００および２００は、例えば図２に示すように構成される。移動無線端末装置１００および２００は、それぞれアンテナ１０１と、無線通信部１１０と、音声処理部１２０と、表示部１３０と、操作部１４０と、報知部１５０と、記憶部１６０と、ＧＰＳ受信部１７０と、カメラ部１８０とを備えている。  
アンテナ１０１は、無線基地局ＣＳから送信される無線信号の受信や、当該移動無線端末装置からの無線基地局ＣＳに宛てた無線信号の送信を行うものである。
【００１２】
無線通信部１１０は、アンテナ１０１を通じて無線基地局ＣＳと無線通信し、この無線基地局および移動通信網ＮＷを介して通信相手局と通信するものである。具体的には、無線通信部１１０は、アンテナ１０１が受信した無線信号をダウンコンバートして復調し、通信相手局から送信された符号化音声データや制御データを得る。これらは、制御部１９０に出力される。
【００１３】
また無線通信部１１０は、制御部１９０を通じて音声処理部１２０から与えられる符号化音声データや、制御部１９０から与えられる制御データを用いてベースバンド信号を変調し、これをアップコンバートして無線信号を生成し、アンテナ１０１を通じて無線基地局ＣＳに宛てて送信する。
【００１４】
音声処理部１２０は、制御部１９０より入力される無線通信部１１０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１９０を通じて無線通信部１１０に与える。
【００１５】
表示部１３０は、ＬＣＤ（Liquid Crystal Display）などを用いた表示装置であって、テキストや画像など種々の視覚的な情報をユーザに映示するものである。操作部１４０は、複数のキースイッチなどを備え、ユーザの要求を受け付けるものである。報知部１５０は、着信の発生を音によりユーザに報知するものである。
【００１６】
記憶部１６０は、制御部１９０の制御プログラムや制御データ、当該移動無線端末装置の電話番号を記憶するとともに、電話番号、名称および顔写真などの画像データを対応づけた電話帳データや、送受信したメールデータ、ＧＰＳ受信部１７０で得られた位置情報、カメラ部１８０で撮像された画像データなどが記憶される。
【００１７】
ＧＰＳ受信部１７０は、制御部１９０の指示にしたがって動作し、図示しないＧＰＳ（Global Positioning System）衛星から送信されるＧＰＳ信号を受信して、当該移動無線端末装置の位置を測位するものであって、この測位によって得た位置情報を制御部１９０に出力する。
【００１８】
カメラ部１８０は、ＣＣＤ（Charge-Coupled Device）やＣＭＯＳ（Complementary Metal Oxide Semiconductor）などの撮像素子を用いた電子カメラであって、制御部１９０の指示にしたがって動作し、撮像を行う。
【００１９】
制御部１９０は、当該移動無線端末装置の各部を統括して制御するものである。例えば、操作部１４０を通じたユーザの指示にしたがって、無線通信部１１０を制御して、移動通信網ＮＷを通じた通信（音声通信や電子メールの送受信）を行ったり、あるいはユーザの指示にしたがって、カメラ部１８０やＧＰＳ受信部１７０を駆動制御する。また制御部１９０は、通信相手局から受信した制御データにしたがって、カメラ部１８０やＧＰＳ受信部１７０を駆動制御し、これらのデバイスから得た情報を通信相手に送信する制御機能も備える。
【００２０】
認証サーバ３００は、着信のあった移動無線端末装置（１００あるいは２００）からの要求に応じて、上記着信の発信元についての認証を行うものである。その構成として、認証サーバ３００は、例えば図３に示すように、通信部３０１と、記憶部３０２と、制御部３０３とを備える。
【００２１】
通信部３０１は、移動通信網ＮＷに有線接続され、移動通信網ＮＷを介した通信を行うものである。記憶部３０２は、制御部３０３の制御プログラムや制御データを記憶するほかに、無線基地局ＣＳを通じて移動通信網ＮＷに接続される移動無線端末装置（１００あるいは２００）の認証情報（電話番号とパスワード）や、被遠隔操作許可情報、遠隔操作許可端末情報を記憶するものである。
【００２２】
上記被遠隔操作許可情報は、移動無線端末装置の電話番号に対応づけて、移動通信網ＮＷを通じた遠隔操作を受け付けるか否か示す情報が対応づけられたものであり、サービスの加入時などにユーザが任意に設定したものである。
【００２３】
上記遠隔操作許可端末情報は、遠隔操作される移動無線端末装置の電話番号に対応づけて、遠隔操作を許可する移動無線端末装置の電話番号とパスワードが対応づけられたものであり、遠隔操作される移動無線端末装置のユーザがサービスの加入時などに予め任意に設定した情報である。
【００２４】
制御部３０３は、記憶部３０２に記憶される制御プログラムや制御データにしたがって、当該認証サーバ３００の各部を統括して制御するものであって、着側の移動無線端末装置からの要求に応じて、発側の移動無線端末装置についての認証を行い、認証結果を着側の移動無線端末装置に通知する制御を行う。
【００２５】
次に、上記構成の移動通信システムの動作について説明する。なお、以下の説明では、移動無線端末装置１００と移動無線端末装置２００との間で行われる通常の音声通信処理については説明を省略し、図４に示すシーケンス図を参照して、この発明に関わる遠隔制御に関する動作について説明する。ここでは、移動無線端末装置１００を発側端末とし、これより着側端末の移動無線端末装置２００を遠隔制御する場合を例に挙げて説明する。
【００２６】
以下に説明する運用状況としては、移動無線端末装置２００のユーザが、移動無線端末装置２００を紛失したり、盗難にあったりして手元にない状況で、例えば友人や家族が所有する移動無線端末装置１００を利用する場合、あるいは子供が携帯する移動無線端末装置２００に対して、親が移動無線端末装置１００を通じて遠隔制御を行う場合、移動無線端末装置２００のユーザが急病などにより通話を行えない場合などが想定される。
【００２７】
まず、移動無線端末装置１００において、ユーザが操作部１４０を操作して、遠隔制御対象となる移動無線端末装置２００の電話番号と、パスワードを入力し、遠隔操作要求を与えると、制御部１９０は、無線通信部１１０を制御して、移動無線端末装置２００に対して着呼を要求するセットアップメッセージを送信する（Ｓ１）。なお、上記セットアップメッセージには、遠隔操作を要求する遠隔操作要求メッセージ、着側である移動無線端末装置２００の電話番号、発側である移動無線端末装置１００の電話番号および上記パスワードが含まれる。
【００２８】
上記セットアップメッセージが無線基地局ＣＳを通じて移動通信網ＮＷに送信されると、移動通信網ＮＷは、上記セットアップメッセージに含まれる着側の移動無線端末装置２００の電話番号に基づいて、予め収集しておいた移動無線端末装置の位置登録情報から、移動無線端末装置２００が通信可能な無線基地局ＣＳを特定し、この無線基地局ＣＳを通じて、上記セットアップメッセージを移動無線端末装置２００に送信する。
【００２９】
上記セットアップメッセージを無線基地局ＣＳから受信した移動無線端末装置２００では、制御部１９０が、無線通信部１１０が受信したセットアップメッセージに遠隔操作要求メッセージが含まれることを検出する。通常の着信時は、制御部１９０は、表示部１３０や報知部１５０を制御して着信の発生を報知するが、ここでは遠隔操作要求メッセージを検出したため、制御部１９０は、着信の発生を報知しないように制御する（Ｓ２）。
【００３０】
そして、移動無線端末装置２００では、制御部１９０が、セットアップメッセージから発側である移動無線端末装置１００の電話番号およびパスワードを検出し、これらの情報と移動無線端末装置２００の電話番号を含んだ着認証要求メッセージを、無線通信部１１０を制御して、認証サーバ３００に宛てて送信する（Ｓ３）。
【００３１】
これに対して認証サーバ３００では、上記着認証要求メッセージを通信部３０１が受信すると、これを検出した制御部３０３は、まず上記着認証要求メッセージに含まれる移動無線端末装置２００の電話番号と、記憶部３０２に記憶される被遠隔操作許可情報とを比較し、移動無線端末装置２００が遠隔操作を受け付ける設定がなされているものか否かを判定する。
【００３２】
また制御部３０３は、上記着認証要求メッセージに含まれる移動無線端末装置１００の電話番号、パスワードおよび移動無線端末装置２００の電話番号と、記憶部３０２に記憶される遠隔操作許可端末情報とを比較し、移動無線端末装置２００が遠隔操作を受け付ける端末として移動無線端末装置１００の電話番号が設定され、なおかつ上記パスワードが遠隔操作許可端末情報に記憶されるものと一致するか否かを判定する。
【００３３】
ここで、移動無線端末装置２００が遠隔操作を受け付ける設定がなされ、かつ移動無線端末装置２００が遠隔操作を受け付ける端末として移動無線端末装置１００の電話番号が設定され、なおかつ上記パスワードが遠隔操作許可端末情報に記憶されるものと一致すると判定された場合に、制御部３０３は、通信部３０１を制御し、移動無線端末装置２００に宛てて、認証の結果が、遠隔操作を許可することを示す許可メッセージを送信する（Ｓ５）。いずれかの条件が満たされない判定結果の場合には、不許可の旨を示す不許可メッセージが送信される。
【００３４】
これに対して移動無線端末装置２００では、無線通信部１１０が上記許可メッセージを受信すると、これを検出した制御部１９０は、無線通信部１１０を制御して、移動無線端末装置１００に対して、遠隔操作を受け入れる旨を示す着呼応答メッセージを送信する（Ｓ６）。なお、不許可メッセージを受信した場合には、移動無線端末装置に対して、遠隔操作を受け入れない旨を示すメッセージを送信し、当該処理を終了する。
【００３５】
以後、上記着呼応答メッセージを受信した移動無線端末装置１００と、移動無線端末装置２００との間で、所定の手順に従って両者の情報が交換され、遠隔操作を行うための通信リンクが確立される（Ｓ７）
このようにして通信リンクが確立された後、移動無線端末装置１００において、ユーザが操作部１４０を制御して、位置情報を要求する指示を与えると、制御部１９０は、位置情報を要求するメッセージを生成し、無線通信部１１０を制御して、上記通信リンクを通じて移動無線端末装置２００に上記メッセージを送信する（Ｓ８）。
【００３６】
これに対して移動無線端末装置２００では、無線通信部１１０が上記メッセージを受信すると、これを検出した制御部１９０が上記メッセージを解読し、位置情報を要求されていることを認識する。これにより制御部１９０は、ＧＰＳ受信部１７０を駆動制御して、ＧＰＳ衛星からのＧＰＳ信号を受信させ、位置情報（緯度、経度、高度など）を検出させる（Ｓ９）。
【００３７】
なお、このとき制御部１９０は、ＧＰＳ受信部１７０が駆動していることを周囲に通知しないように各部を制御する。例えば、操作部１４０を通じて動作確認が伴う操作がなされた場合でも、ＧＰＳ受信部１７０が駆動していることを示さない。
【００３８】
そして、移動無線端末装置２００の制御部１９０は、ＧＰＳ受信部１７０が検出した位置情報を取得し、無線通信部１１０を制御して、上記位置情報を移動無線端末装置１００に宛てて送信する（Ｓ１０）。
【００３９】
これに対して移動無線端末装置１００では、上記撮像データを無線通信部１１０が受信すると、これを検出した制御部１９０が、受信した位置情報に基づいて対応する地図データを、移動通信網ＮＷに接続される地図サーバ（図示しない）から取得し、上記地図データに基づく地図を表示部１３０に表示して、移動無線端末装置２００の位置を視覚的に地図上に示す。
【００４０】
その後、移動無線端末装置１００において、ユーザが操作部１４０を制御して、撮像を要求する指示を与えると、制御部１９０は、撮像を要求するメッセージを生成し、無線通信部１１０を制御して、上記通信リンクを通じて移動無線端末装置２００に上記メッセージを送信する（Ｓ１２）。
【００４１】
これに対して移動無線端末装置２００では、無線通信部１１０が上記メッセージを受信すると、これを検出した制御部１９０が上記メッセージを解読し、撮像を要求されていることを認識する。これにより制御部１９０は、カメラ部１８０を駆動制御して、撮像を行わせる（Ｓ１３）。
【００４２】
なお、このとき制御部１９０は、カメラ部１８０が駆動していることを周囲に通知しないように各部を制御する。例えば、操作部１４０を通じて動作確認が伴う操作がなされた場合でも、カメラ部１８０が駆動していることを示さない。通常の運用時は、撮像を行うと、報知部１５０を制御して撮像を行ったことを周囲に報知するが、遠隔制御の場合には、このような報知は行わない。
【００４３】
そして、移動無線端末装置２００の制御部１９０は、カメラ部１８０が撮像した撮像データを取得し、無線通信部１１０を制御して、上記撮像データを移動無線端末装置１００に宛てて送信する（Ｓ１４）。
【００４４】
これに対して移動無線端末装置１００では、上記撮像データを無線通信部１１０が受信すると、これを検出した制御部１９０が、表示部１３０を制御して、上記受信した撮像データに基づく画像を表示させる（Ｓ１５）。
【００４５】
以上のように、上記構成の移動通信システムでは、予め指定された移動無線端末装置１００から遠隔操作要求があった場合に、これを認証サーバ３００で認証し、そして遠隔操作が許可されたものである場合に、遠隔操作する側の移動無線端末装置１００と遠隔操作される側の移動無線端末装置２００との間に通信リンクを確立し、移動無線端末装置１００からの要求に応じて移動無線端末装置２００が遠隔操作される。
【００４６】
そして、遠隔操作により移動無線端末装置２００が取得した位置情報や撮像データなどが移動無線端末装置１００に伝送され、これらの情報に基づく表示が移動無線端末装置１００にてなされるようにしている。
【００４７】
したがって、上記構成の移動通信システムによれば、移動無線端末装置２００が手元になくなった場合でも、その位置情報や撮像した画像などから、移動無線端末装置２００の位置を知る手がかりを取得できる。
【００４８】
また上記構成の移動無線端末装置２００では、遠隔操作の要求があった場合には、Ｓ２で説明したように、外部から遠隔操作が為されていることが認識できないように、着信の発生や、位置情報取得や撮像に関わる動作を周囲に報知しないようにしているので、盗難などの犯罪に巻き込まれた場合に有効である。
【００４９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５０】
その一例として例えば、上記実施の形態では、着呼要求に遠隔操作要求が含まれる場合（Ｓ１）に、これに着側端末２００が自動応答して通信リンクを確立し、この通信リンクを通じて遠隔制御が行われるようにしたが、これに代わって例えば、着呼要求が所定時間継続した場合に、これに着側端末２００が自動応答して通信リンクを確立し、そして、この通信リンクを通じて遠隔操作要求を受け付けた場合に、遠隔制御が行われるようにしてもよい。具体的には、制御部１９０が、着呼要求の継続時間をカウントし、この継続時間が予め設定した時間以上になった場合に、無線通信部１１０を制御して着呼要求に自動応答して通信リンクを確立する。
【００５１】
このような制御を着側端末２００が行うことで、通常の着信にはユーザが応答することができ、一方、ユーザが着信に応答できないような状況下では、設定時間以上の呼び出しを継続することで、自動応答が行われ上述したような遠隔操作を行うことができる。
【００５２】
また着側端末２００が例えば悪意を有する者に奪われた場合、着側端末２００の電源がＯＦＦにされる虞がある。上記構成の着側端末２００では、電源がＯＦＦにされると、図４に示したような処理は行えず、発側端末１００との間に通信リンクを確立することができない。
【００５３】
これに対して例えば、操作部１４０に対する通常の操作（例えば電源キー長押しなど）で電源をＯＦＦにした場合、制御部１９０は、表示部１３０による表示やスピーカ１２１から拡声出力は停止させるものの、無線通信部１１０に対しては制御を継続し、着呼要求の到来を監視するようにする。
【００５４】
すなわち、通常の電源ＯＦＦ操作では、外観上は電源ＯＦＦ状態に見せかけるような状態となるものの、無線通信部１１０に対しては電源がＯＮ状態の時と同様の制御が行われ、着呼要求の到来を監視できる。
【００５５】
このような制御部１９０の制御によれば、通常の電源ＯＦＦ操作がなされても、無線通信部１１０は駆動しているため、図４に示したような処理は継続して行われることになり、併せてＧＰＳ受信部１７０やカメラ部１８０が駆動制御され、位置情報や撮像した画像などから、移動無線端末装置２００の位置を知る手がかりを取得できる。
【００５６】
なお、この場合においても、遠隔操作の要求があった場合には、Ｓ２で説明したように、外部から遠隔操作が為されていることが認識できないように、着信の発生や、位置情報取得や撮像に関わる動作を周囲に報知しないように制御部１９０が各部の制御を行うのはいうまでもない。
【００５７】
また、正当なユーザの手によって真に電源をＯＦＦにしたい場合には、制御部１９０は、予め設定したパスワードを操作部１４０を通じて受け付け、これが予め記憶部１６０に記憶しておいたパスワードと一致する場合に、各部の電源をＯＦＦにし、以後、操作部１４０を通じて電源ＯＮの要求が与えられることを待機するように制御すればよい。
【００５８】
さらに、上記実施の形態では、発側端末として移動無線端末装置１００を例に挙げて説明したが、発側の端末は、有線網に収容される固定電話であってもよく、同様の効果を得られる。  
その他、この発明の要旨を逸脱しない範囲で種々の変形を施しても同様に実施可能であることはいうまでもない。
【図面の簡単な説明】
【００５９】
【図１】この発明に係わる移動通信システムの一実施形態の構成を示すシステム構成図。
【図２】図１に示した移動通信システムの移動無線端末装置の構成を示す回路ブロック図。
【図３】図１に示した移動通信システムの認証サーバの構成を示す回路ブロック図。
【図４】図１に示した移動通信システムの動作を説明するためのシーケンス図。
【符号の説明】
【００６０】
１００，２００…移動無線端末装置、１０１…アンテナ、１１０…無線通信部、１２０…音声処理部、１２１…スピーカ、１２２…マイクロホン、１３０…表示部、１４０…操作部、１５０…報知部、１６０…記憶部、１７０…ＧＰＳ受信部、１８０…カメラ部、１９０…制御部、３００…認証サーバ、３０１…通信部、３０２…記憶部、３０３…制御部、ＣＳ…無線基地局、ＮＷ…移動通信網。
【図１】
2007143048.tif 000003
【図２】
2007143048.tif 000004
【図３】
2007143048.tif 000005
【図４】
2007143048.tif 000006